【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
所定濃度未満の画像を第１色のトナーのみを用いて画像を形成し、前記所定濃度以上の画像を前記第１色のトナーと前記第１色のトナーと同一色相でかつ濃度が高い第２色のトナーとを重ねて画像形成を行う画像形成装置において、
出力画像の階調性を調整するために階調補正データに基づいて入力画像信号を変換する画像処理手段と、
像担持体と、前記像担持体を回転駆動する駆動手段と、前記像担持体上に静電潜像を形成する露光手段と、前記像担持体に対向するように設けられ、トナーを担持するトナー担持体と、前記トナー担持体に現像バイアスを印加するバイアス印加手段を有し前記現像バイアスと前記静電潜像の電位との電位差に応じた濃度で前記静電潜像をトナー像として現像する現像手段とを有し前記第１色のトナーを用いて画像形成する第１の画像形成部と前記第２色のトナーを用いて画像形成する第２の画像形成部と備え、前記画像処理手段から出力される画像信号に基づいて画像形成を行う画像形成手段と、
前記第１及び前記第２の画像形成部に前記像担持体の駆動方向に対して垂直な方向に濃度が均一な第１のトナーパターン及び階調性を有する第２のトナーパターンをそれぞれ形成させる制御手段と、
前記第１及び第２のトナーパターンを読み取る読取手段と、
前記読取手段によって読み取られた前記第１のトナーパターンの読取結果に基づいて前記像担持体の駆動方向に対して垂直な方向に生じる画像濃度差を検出する検出手段と、
前記検出手段の検出結果と前記読取手段による前記第２のトナーパターンの読取結果とに基づいて第２のトナーパターンの濃度情報を算出する算出手段と、
前記濃度情報に基づいて階調補正データを作成する階調補正データ作成手段とを有し、
前記階調補正データ作成手段は、前記第１色及び前記第２色のトナーによって形成された前記第２のトナーパターンの濃度情報と前記第１色のトナーによって形成された前記第２のトナーパターンの濃度情報とに基づいて第２色のトナーに対応する入力画像信号を変換する階調補正データを作成することを特徴とする画像形成装置。
【請求項２】
所定濃度未満の画像を第１色のトナーのみを用いて画像を形成し、前記所定濃度以上の画像を前記第１色のトナーと前記第１色のトナーと同一色相でかつ濃度が高い第２色のトナーとを重ねて画像形成を行う画像形成装置において、
出力画像の階調性を調整するために階調補正データに基づいて入力画像信号を変換する画像処理手段と、
像担持体と、前記像担持体を回転駆動する駆動手段と、前記像担持体上に静電潜像を形成する露光手段と、前記像担持体に対向するように設けられ、トナーを担持するトナー担持体と、前記トナー担持体に現像バイアスを印加するバイアス印加手段を有し前記現像バイアスと前記静電潜像の電位との電位差に応じた濃度で前記静電潜像をトナー像として現像する現像手段とを有し前記第１色のトナーを用いて画像形成する第１の画像形成部と前記第２色のトナーを用いて画像形成する第２の画像形成部と備え、前記画像処理手段から出力される画像信号に基づいて画像形成を行う画像形成手段と、
前記第１及び前記第２の画像形成部に前記像担持体の駆動方向に対して垂直な方向に濃度が均一な第１のトナーパターン及び階調性を有する第２のトナーパターンをそれぞれ形成させる制御手段と、
前記第１及び第２のトナーパターンを読み取る読取手段と、
前記読取手段によって読み取られた前記第１のトナーパターンの読取結果に基づいて前記像担持体の駆動方向に対して垂直な方向に生じる画像濃度差を検出する検出手段と、
前記検出手段の検出結果と前記読取手段による前記第２のトナーパターンの読取結果とに基づいて第２のトナーパターンの濃度情報を算出する算出手段と、
前記濃度情報に基づいて階調補正データを作成する階調補正データ作成手段とを有し、
前記階調補正データ作成手段は、前記第１色及び前記第２色のトナーによって形成された前記第２のトナーパターンの濃度情報と前記検出手段によって検出された前記第１色のトナーで形成された第１のトナーパターンの画像濃度差とに基づいて、第２色に対応する入力画像信号を変換する階調補正データを作成することを特徴とする画像形成装置。
【請求項３】
所定濃度未満の画像を第１色のトナーのみを用いて画像を形成し、前記所定濃度以上の画像を前記第１色のトナーと前記第１色のトナーと同一色相でかつ濃度が高い第２色のトナーとを重ねて画像形成を行う画像形成装置において、
出力画像の階調性を調整するために階調補正データに基づいて入力画像信号を変換する画像処理手段と、
像担持体と、前記像担持体を回転駆動する駆動手段と、前記像担持体上に静電潜像を形成する露光手段と、前記像担持体に対向するように設けられ、トナーを担持するトナー担持体と、前記トナー担持体に現像バイアスを印加するバイアス印加手段を有し前記現像バイアスと前記静電潜像の電位との電位差に応じた濃度で前記静電潜像をトナー像として現像する現像手段とを有し前記第１色のトナーを用いて画像形成する第１の画像形成部と前記第２色のトナーを用いて画像形成する第２の画像形成部と備え、前記画像処理手段から出力される画像信号に基づいて画像形成を行う画像形成手段と、
前記複数の画像形成部に前記像担持体の駆動方向に対して垂直な方向に濃度が均一な第１のトナーパターン及び階調性を有する第２のトナーパターンをそれぞれ形成させる制御手段と、
前記第１及び第２のトナーパターンを読み取る読取手段と、
前記読取手段によって読み取られた前記第１のトナーパターンの読取結果に基づいて前記像担持体の駆動方向に対して垂直な方向に生じる画像濃度差を検出する検出手段と、
前記検出手段の検出結果と前記読取手段による前記第２のトナーパターンの読取結果とに基づいて第２のトナーパターンの濃度情報を算出する算出手段と、
前記濃度情報に基づいて階調補正データを作成する階調補正データ作成手段とを有し、
前記階調補正データ作成手段は、前記第１色及び前記第２色のトナーによって形成された前記第２のトナーパターンの濃度情報と前記検出手段によって検出された前記第２色のトナーで形成された第１のトナーパターンの画像濃度差とに基づいて、第２色のトナーに対応する入力画像信号を変換する階調補正データを作成することを特徴とする画像形成装置。
【手続補正２】
【補正対象書類名】明細書
【補正対象項目名】００１８
【補正方法】変更
【補正の内容】
【００１８】
本発明の画像形成装置は、所定濃度未満の画像を第１色のトナーのみを用いて画像を形成し、前記所定濃度以上の画像を前記第１色のトナーと前記第１色のトナーと同一色相でかつ濃度が高い第２色のトナーとを重ねて画像形成を行う画像形成装置において、出力画像の階調性を調整するために階調補正データに基づいて入力画像信号を変換する画像処理手段と、像担持体と、前記像担持体を回転駆動する駆動手段と、前記像担持体上に静電潜像を形成する露光手段と、前記像担持体に対向するように設けられ、トナーを担持するトナー担持体と、前記トナー担持体に現像バイアスを印加するバイアス印加手段を有し前記現像バイアスと前記静電潜像の電位との電位差に応じた濃度で前記静電潜像をトナー像として現像する現像手段とを有し前記第１色のトナーを用いて画像形成する第１の画像形成部と前記第２色のトナーを用いて画像形成する第２の画像形成部と備え、前記画像処理手段から出力される画像信号に基づいて画像形成を行う画像形成手段と、前記第１及び前記第２の画像形成部に前記像担持体の駆動方向に対して垂直な方向に濃度が均一な第１のトナーパターン及び階調性を有する第２のトナーパターンをそれぞれ形成させる制御手段と、前記第１及び第２のトナーパターンを読み取る読取手段と、前記読取手段によって読み取られた前記第１のトナーパターンの読取結果に基づいて前記像担持体の駆動方向に対して垂直な方向に生じる画像濃度差を検出する検出手段と、前記検出手段の検出結果と前記読取手段による前記第２のトナーパターンの読取結果とに基づいて第２のトナーパターンの濃度情報を算出する算出手段と、前記濃度情報に基づいて階調補正データを作成する階調補正データ作成手段とを有し、前記階調補正データ作成手段は、前記第１色及び前記第２色のトナーによって形成された前記第２のトナーパターンの濃度情報と前記第１色のトナーによって形成された前記第２のトナーパターンの濃度情報とに基づいて第２色のトナーに対応する入力画像信号を変換する階調補正データを作成することを特徴とする。
【手続補正３】
【補正対象書類名】明細書
【補正対象項目名】００１９
【補正方法】変更
【補正の内容】
【００１９】
また、本発明の画像形成装置は、所定濃度未満の画像を第１色のトナーのみを用いて画像を形成し、前記所定濃度以上の画像を前記第１色のトナーと前記第１色のトナーと同一色相でかつ濃度が高い第２色のトナーとを重ねて画像形成を行う画像形成装置において、出力画像の階調性を調整するために階調補正データに基づいて入力画像信号を変換する画像処理手段と、像担持体と、前記像担持体を回転駆動する駆動手段と、前記像担持体上に静電潜像を形成する露光手段と、前記像担持体に対向するように設けられ、トナーを担持するトナー担持体と、前記トナー担持体に現像バイアスを印加するバイアス印加手段を有し前記現像バイアスと前記静電潜像の電位との電位差に応じた濃度で前記静電潜像をトナー像として現像する現像手段とを有し前記第１色のトナーを用いて画像形成する第１の画像形成部と前記第２色のトナーを用いて画像形成する第２の画像形成部と備え、前記画像処理手段から出力される画像信号に基づいて画像形成を行う画像形成手段と、前記第１及び前記第２の画像形成部に前記像担持体の駆動方向に対して垂直な方向に濃度が均一な第１のトナーパターン及び階調性を有する第２のトナーパターンをそれぞれ形成させる制御手段と、前記第１及び第２のトナーパターンを読み取る読取手段と、前記読取手段によって読み取られた前記第１のトナーパターンの読取結果に基づいて前記像担持体の駆動方向に対して垂直な方向に生じる画像濃度差を検出する検出手段と、前記検出手段の検出結果と前記読取手段による前記第２のトナーパターンの読取結果とに基づいて第２のトナーパターンの濃度情報を算出する算出手段と、前記濃度情報に基づいて階調補正データを作成する階調補正データ作成手段とを有し、前記階調補正データ作成手段は、前記第１色及び前記第２色のトナーによって形成された前記第２のトナーパターンの濃度情報と前記検出手段によって検出された前記第１色のトナーで形成された第１のトナーパターンの画像濃度差とに基づいて、第２色に対応する入力画像信号を変換する階調補正データを作成することを特徴とする。
【手続補正４】
【補正対象書類名】明細書
【補正対象項目名】００２０
【補正方法】変更
【補正の内容】
【００２０】
さらに、本発明の画像形成装置は、所定濃度未満の画像を第１色のトナーのみを用いて画像を形成し、前記所定濃度以上の画像を前記第１色のトナーと前記第１色のトナーと同一色相でかつ濃度が高い第２色のトナーとを重ねて画像形成を行う画像形成装置において、出力画像の階調性を調整するために階調補正データに基づいて入力画像信号を変換する画像処理手段と、像担持体と、前記像担持体を回転駆動する駆動手段と、前記像担持体上に静電潜像を形成する露光手段と、前記像担持体に対向するように設けられ、トナーを担持するトナー担持体と、前記トナー担持体に現像バイアスを印加するバイアス印加手段を有し前記現像バイアスと前記静電潜像の電位との電位差に応じた濃度で前記静電潜像をトナー像として現像する現像手段とを有し前記第１色のトナーを用いて画像形成する第１の画像形成部と前記第２色のトナーを用いて画像形成する第２の画像形成部と備え、前記画像処理手段から出力される画像信号に基づいて画像形成を行う画像形成手段と、前記複数の画像形成部に前記像担持体の駆動方向に対して垂直な方向に濃度が均一な第１のトナーパターン及び階調性を有する第２のトナーパターンをそれぞれ形成させる制御手段と、前記第１及び第２のトナーパターンを読み取る読取手段と、前記読取手段によって読み取られた前記第１のトナーパターンの読取結果に基づいて前記像担持体の駆動方向に対して垂直な方向に生じる画像濃度差を検出する検出手段と、前記検出手段の検出結果と前記読取手段による前記第２のトナーパターンの読取結果とに基づいて第２のトナーパターンの濃度情報を算出する算出手段と、前記濃度情報に基づいて階調補正データを作成する階調補正データ作成手段とを有し、前記階調補正データ作成手段は、前記第１色及び前記第２色のトナーによって形成された前記第２のトナーパターンの濃度情報と前記検出手段によって検出された前記第２色のトナーで形成された第１のトナーパターンの画像濃度差とに基づいて、第２色のトナーに対応する入力画像信号を変換する階調補正データを作成することを特徴とする。
【手続補正５】
【補正対象書類名】明細書
【補正対象項目名】００６７
【補正方法】変更
【補正の内容】
【００６７】
Ｓ１１１では、ＬＵＴ作成部３１４は、決定されたグレー・ブラックのＬＵＴを出力ガンマ補正部３１５にアップロードして、ＬＵＴの作成処理が完了する。
【手続補正６】
【補正対象書類名】明細書
【補正対象項目名】００７８
【補正方法】変更
【補正の内容】
【００７８】
Ｓ２００からＳ２０６までの処理は、図７で示したＳ１００からＳ１０６までの処理（第１の実施の形態の画像形成装置によるＬＵＴ作成方法）と同じであるので説明を省略する。
【手続補正７】
【補正対象書類名】明細書
【補正対象項目名】００７９
【補正方法】変更
【補正の内容】
【００７９】
Ｓ２０７では、ＬＵＴがオフ、即ち階調補正を行っていない画像形成部２１２の状態で、図１６に示すように、ブラック単色の２０階調パッチ（第３のパッチ群）をＡ４紙上、長辺方向に出力する。ここで、階調数は精度や画像形成部２１２の特性を考慮し、より多くしても構わない。またトナー消費量の観点からパッチ数を少なくしても本発明の範疇であることは言うまでもない。
【手続補正８】
【補正対象書類名】明細書
【補正対象項目名】００８１
【補正方法】変更
【補正の内容】
【００８１】
Ｓ２０９で、ＬＵＴ作成部３１４は、ターゲットと上記濃度情報から、ブラックの階調補正テーブル即ちＬＵＴを作成する。但し、ここで用いるターゲットは図１４（ｃ）に示した単色用ターゲットである。その結果、作成されたＬＵＴと、元のＬＵＴオフ時の階調特性と、ターゲットとの関係は図１８に示すようになる。